(57)【要約】【課題】  再生速度が最も速い状態にある時、その状態を一目して把握することが可能な再生速度調整機能を備えた再生装置を提供する。【解決手段】  記録媒体２に記憶された映像／音声信号を再生する再生手段３と、再生手段３により再生されている再生映像の再生速度を段階的に変更する制御手段５とを再生装置１に備え、再生速度が最大に変更された際、表示部１１に再生映像の再生速度が最大であることを「ＭＡＸ」などの文字で表示する。これにより、再生速度が最大であることを一目して認識することができる。【選択図】      図３
2007080460.tif 000002
【特許請求の範囲】
【請求項１】
記録媒体に記憶された映像／音声信号を再生する再生手段と、この再生手段により再生されている再生映像の再生速度を段階的に変更する再生速度変更手段とを備えたサーチ速度選択機能を備えた再生装置において、前記再生速度変更手段により再生速度が最大に変更された際、この最大に変更された再生映像を表示部に表示すると共に、この表示部に前記再生映像の再生速度が最大であることを表示することを特徴とする再生速度調整機能を備えた再生装置。
【請求項２】
前記再生速度が最大であることの表示を、前記表示部に文字で表示することを特徴とする請求項１記載の再生速度調整機能を備えた再生装置。
【請求項３】
前記表示部に表示される文字は、「ＭＡＸ」又は「最大」、若しくはこれらの文字列を含むことを特徴とする請求項２記載の再生速度調整機能を備えた再生装置。
【発明の詳細な説明】
【技術分野】
【０００１】
本発明は、再生速度の速さを変更することができる再生速度調整機能を備えた再生装置、特に再生速度を段階的に可変することが可能な再生速度調整機能を備えた再生装置に関する。
【背景技術】
【０００２】
従来、ＤＶＤやＨＤＤなどに録画された映像を再生する方法として、通常速度での再生の他に、テレビなどの表示装置に再生されている映像を表示させた状態で、再生速度を通常の再生速度よりも速くして再生するサーチと、再生速度を通常の再生速度よりも遅くして再生するスローとがある。通常、こうしたサーチ又はスローは、リモコンの操作ボタンなどにより、再生速度を所望の速度に切り替えることが可能となっている。
【０００３】
図５は、従来から用いられている再生装置のサーチする際の動作例を上から下に順番に示した説明図である。こうした従来から適用されているサーチでは、再生ボタンを押下すると、通常速度で再生が開始され、この再生時に、「早送り」ボタンを押下すると、速度１のサーチで、再生速度の約２倍の速さでサーチが開始される。ここで、「早送り」ボタンをさらに押下すると、速度２のサーチで、再生速度の約８倍の速さでサーチが開始され、再度、「早送り」ボタンを押下すると、速度３のサーチで、再生速度の約５０倍に、さらに再度、「早送り」ボタンを押下すると、速度４のサーチで、再生速度の約１００倍の速さでサーチが開始される。すなわち、「早送り」ボタンを繰り返し押下することにより、再生速度が段階的に速くなる。なお、こうした再生速度が最も速く設定されている、例えば、図５に示す速度４のサーチの場合においては、再度「早送り」ボタンを押下した際、製造メーカや機種の違いなどにより、何ら変化しない、通常の再生状態に戻る、或いは、図５で説明すれば、速度１のサーチに戻り再生速度の約２倍の速さでサーチされるなど、種々の動作が実行されるのが実状となっている。
【０００４】
ところで、図５に示す従来からの一例では、「速度１」から「速度４」の４段階の再生速度に対応し、テレビの表示部などに表示される再生マーク１００の右側に再生速度を表す１〜４の連番を表示したり、或いは再生マーク１００を並べて表示することにより、ユーザは、再生マーク１００の数や番号により、再生速度が何れの段階にあるかを把握できるようになっている。
【０００５】
こうした再生速度を視認可能にする従来技術として、例えば特許文献１には、標準動作速度より速く記録再生動作を行った際、その動作倍率を表示色や点灯方法を変えたり、文字、数字、又は記号で表示させ、記録再生動作時の動作速度を視覚化した記録再生装置が開示されている。また、特許文献２には、表示画面上に現在再生されている再生速度を、速度記号（＜）の数の多さと、文字で表示した画像再生装置が開示されている。
【０００６】
【特許文献１】特開２００１−９１９８３号公報
【特許文献２】特開２０００−２３６４９８号公報
【発明の開示】
【発明が解決しようとする課題】
【０００７】
しかし、図５に示した従来からの一例では、サーチの際に「早送り」ボタンを押下してサーチ速度を上げていき、最も速い再生速度（速度４）にある時に、「早送り」ボタンを押下すると、機種や製造メーカの違いなどによって、それぞれ異なった動作が行われたり、図６に示す再生マークの数や番号により、再生速度が何れの段階にあるかは把握することは可能なものの、再生速度が最大になっているのか否かについては、何ら表示されない。そこで、ユーザが、最大の再生速度で再生したい際には、最大の再生速度にある際の再生マークの数や番号の表示状態を、予め覚えておかなければならない。従って、例えば使い慣れないユーザにとっては、最大の再生速度で再生したいにも係らず、再生マークの数や番号のみでは、再生速度が最大であるか否かを容易に判断できないことから、使い勝手がよいとは言えるものではない。
【０００８】
また、特許文献１においては、標準動作速度より速く記録再生動作を行った際の動作倍率を、表示色や点灯方法を変えたり、文字、数字、又は記号で表示することは可能であるが、単に、動作倍率を表示するものであり、再生速度が最大であるか否かは把握することができない。また、特許文献２においても同様に、表示画面上に現在再生されている再生速度を、速度記号（＜）の数の多さと、「高速」などの文字で表示するものの、再生速度が最大であるのか否かを認識することはできない。
【０００９】
本発明は上記課題に鑑みてなされたものであり、再生速度が最も速い状態にある時、その状態を一目して把握することが可能な、利便性を向上させた再生速度調整機能を備えた再生装置を提供することを目的とする。
【課題を解決するための手段】
【００１０】
請求項１に係る再生速度調整機能を備えた再生装置は、記録媒体に記憶された映像／音声信号を再生する再生手段と、この再生手段により再生されている再生映像の再生速度を段階的に変更する再生速度変更手段とを備えたサーチ速度選択機能を備えた再生装置において、前記再生速度変更手段により再生速度が最大に変更された際、この最大に変更された再生映像を表示部に表示すると共に、この表示部に前記再生映像の再生速度が最大であることを表示することを特徴とする。
【００１１】
請求項１の構成によれば、記録媒体が最大の再生速度で再生されている時、最大の再生速度で再生映像を表示部し、且つ表示部に再生速度が最大であること表示する。
【００１２】
請求項２に係る再生速度調整機能を備えた再生装置は、請求項１に記載の再生速度調整機能を備えた再生装置において、前記再生速度が最大であることの表示を、前記表示部に文字で表示することを特徴とする。
【００１３】
請求項２の構成によれば、再生速度が最大であることを文字で表示することにより、再生速度が最大であることの内容を、表示部に表示した文字で認識することができる。
【００１４】
請求項３に係る再生速度調整機能を備えた再生装置は、請求項２に記載の再生速度調整機能を備えた再生装置において、前記表示部に表示される文字は、「ＭＡＸ」又は「最大」、若しくはこれらの文字列を含むことを特徴とする。
【００１５】
請求項３の構成によれば、最大の再生速度であることが、「ＭＡＸ」、「最大」、若しくはこれらの文字列を含む、例えば「最大です」などの文字列で表示することにより、再生速度が最大であることの意味を、確実に把握することができる。
【発明の効果】
【００１６】
請求項１に係る再生速度調整機能を備えた再生装置は、記録媒体に記憶された映像／音声信号を再生する再生手段と、この再生手段により再生されている再生映像の再生速度を段階的に変更する再生速度変更手段とを備えたサーチ速度選択機能を備えた再生装置において、前記再生速度変更手段により再生速度が最大に変更された際、この最大に変更された再生映像を表示部に表示すると共に、この表示部に前記再生映像の再生速度が最大であることを表示するので、従来のように、単に連番や再生マークの数により再生速度のみが表示されるのではなく、再生速度が最大であることを、表示部を一目して認識することができるので、再生装置の誤操作を防止することが可能となる。
【００１７】
請求項２に係る再生速度調整機能を備えた再生装置は、請求項１に記載の再生速度調整機能を備えた再生装置において、前記再生速度が最大であることの表示を、前記表示部に文字で表示するので、表示部に表示した文字により再生速度が最大であることの内容を確実に認識することができる。
【００１８】
請求項３に係る再生速度調整機能を備えた再生装置は、請求項２に記載の再生速度調整機能を備えた再生装置において、前記表示部に表示される文字は、「ＭＡＸ」又は「最大」、若しくはこれらの文字列を少なくとも含むので、再生速度が最大であることの意味を、より確実に把握することができる。
【発明を実施するための最良の形態】
【００１９】
以下、本発明を実施するための最良の形態としての実施例を図１から図４を参照して説明する。もちろん、本発明は、その発明の趣旨に反さない範囲で、実施例において説明した以外のものに対しても容易に適用可能なことは説明を要するまでもない。
【００２０】
図１〜図４は本発明の一例を示し、図１は再生装置の構成を示すブロック図、図２は再生装置の動作を示すフローチャート、図３はサーチ時における表示を示す説明図、図４は再生速度が最大である時の表示例を示す説明図、図５は再生装置を遠隔操作するリモコンを示す正面図である。
【００２１】
図１に基づいて、再生装置の構成を説明する。１は記憶媒体に記憶される映像／音声信号を復調し、映像／音声を再生する再生装置であり、この再生装置１は後述する再生速度を可変する機能を有する。２は再生装置１に挿入若しくは備える光ディスクなどの記憶媒体であり、３は記憶媒体２に記憶された映像／音声信号を復調して再生する再生手段である。４は再生手段３で復調された映像／音声信号を表示するための処理と、ＯＳＤ（Ｏｎ  Ｓｃｒｅｅｎ  Ｄｉｓｐｌａｙ）表示の処理を行う映像／音声処理手段である。５は再生装置１内の種々の制御を行う制御手段であり、この再生速度変更手段たる制御手段５には、サーチ／スロー処理部５１、サーチ／スロー速度変更部５２、ＯＳＤ作成部５３、及び記憶手段たるメモリ５４を有し、制御手段５は、通常速度での記録媒体２の再生の他に、再生映像を表示装置１０たるテレビなどの表示部１１に表示させたままで、後述する操作手段やリモコン８から出力される指示信号に基づき、再生速度を通常再生速度よりも早くして再生するサーチと、再生速度を通常再生速度により遅くして再生するスローとを行う。６は後述するリモコンから送られる操作信号を受信する受光部であり、７は再生装置１に構成させる操作キーなどの操作手段であり、再生装置１を直接操作するためのものである。また、８は再生装置１の受光部６に操作信号を出力して遠隔操作するリモコンである。
【００２２】
図２及び図３に基づいて、再生装置１の通常再生時にサーチが行われる動作例を以下に説明する。再生装置１に挿入された、若しくは再生装置１に備える記憶媒体２から、映像／音声信号を復調し、Ｓ１にて記録媒体２が再生手段３により再生中の際、Ｓ２にてリモコン８若しくは操作手段７の操作キーとしての「早送り」ボタンが押された場合には、Ｓ３にて「早送り」ボタンの操作に応じて、制御手段５のサーチ／スロー処理部５１により、通常の再生速度の約２倍の速さでサーチが開始されると共に、再生装置１と接続されている例えばテレビなどの表示部１１に、メモリ５４から呼び出された再生マーク６０が制御手段５により１つ表示される。続いてＳ４にて、再度、「早送り」ボタンの押下操作を行うと、Ｓ５にて、制御手段５のサーチ／スロー処理部５１により、通常のサーチ速度の約８倍の速さでサーチが開始されると共に、制御手段５によりメモリ５４から呼び出された再生マーク６０が表示部１１に２つ表示される。続いてＳ６にて、再度、「早送り」ボタンの押下操作を行うと、Ｓ７にて、サーチ／スロー処理部５１により、通常のサーチ速度の約５０倍の速さでサーチが開始されると共に、制御手段５によりメモリ５４から呼び出された再生マーク６０が表示部１１に３つ表示される。続いてＳ８にて、再度、「早送り」ボタンの押下操作を行うと、Ｓ９にてサーチ／スロー処理部５１により、通常のサーチ速度の約１００倍の速さでサーチが開始されると共に、制御手段５によりメモリ５４から呼び出された再生マークが表示部１１に４つ表示されると共に「ＭＡＸ」が表示される。ここでＳ１０にて、「早送り」ボタンの押下操作を行った際には、Ｓ１１にて、制御手段５が再生ボタンや停止ボタンなどのサーチを終了するボタンが押されたか否かを判別し、Ｓ１２にてサーチを終了する。なお、前述したＳ４、Ｓ６、Ｓ８にて、「早送り」ボタンの押下操作が行われない時にはＳ１１に進み、また、Ｓ１にて復調した映像／音声信号が再生中でない場合にはＳ１に戻り、Ｓ２にてリモコン８若しくは操作手段７の「早送り」ボタンが押されない場合にはＳ２に戻る。
【００２３】
つまり、本実施例における再生装置１は、リモコン８などの「早送り」ボタンを繰り返し押下することにより、サーチ／スローの再生速度を段階的に変更することができ、再生速度が最大である時には、図４に示すように、再生マーク６０の他にサーチ速度が最大であることを、「ＭＡＸ」などの最大を意味する文字で表示部１１に表示する。これにより、サーチ速度が最大であることを一目して簡単に認識することができるので、ユーザは、再生速度を最大にする際の操作を、誤操作することなく確実に行うことができる。なお、サーチについて上述したが、サーチに代えてスローの動作も同様に行うことが可能である。
【００２４】
以上のような本実施例における再生装置１によれば、サーチ／スローなどの再生速度を、「早送り」ボタンを繰り返し押下することで段階的に可変できるものであり、ユーザによる操作手段７やリモコン８による操作により、制御手段５としての再生速度変更手段が再生速度を最大に変更した際、最大の再生速度に変更された再生映像が表示部１１に表示されると共に、表示部１１に再生映像の再生速度が最大であることを「ＭＡＸ」、或いは、これに相当する「最大」などの文字、若しくはこれらの文字列を少なくとも含んだ文字を表示部１１に表示する。これにより、従来のように、単に連番や再生マークの数により再生速度のみが表示されるのではなく、再生速度が最大であることの意味を、確実に把握することができる。
【００２５】
以上、本発明の実施例について詳述したが、本発明の要旨の範囲内で種々の変形実施が可能である。例えば、簡単録画機能の録画終了時間設定においても、最大録画終了時間になったときに、「ＭＡＸ」などの最大を意味する文字を表示することで、同様の効果を得ることができる。なお、ここで言う「簡単録画」又はこれに相当するいわゆる「ワンタッチ録画」などは、録画中に「録画」ボタンを押すことで、録画を終了するまでの時間を設定できる機能である。
【図面の簡単な説明】
【００２６】
【図１】本発明の一例おける再生装置の構成を示すブロック図である。
【図２】同上、再生装置の動作を示すフローチャートである。
【図３】同上、サーチ時における表示を示す説明図である。
【図４】同上、再生速度が最大である時の表示例を示す説明図
【図５】従来から用いられている再生装置のサーチする際の動作例を上から下に順番に示した説明図である。
【符号の説明】
【００２７】
１  再生装置
２  記録媒体
３  再生手段
５  再生速度変更手段（制御手段）
１１  表示部
【図１】
2007080460.tif 000003
【図２】
2007080460.tif 000004
【図３】
2007080460.tif 000005
【図４】
2007080460.tif 000006
【図５】
2007080460.tif 000007